(57)【要約】      （修正有）【課題】集熱／熱交換効率の向上と、小形で自由な形状の建築デザイン性に対応ができ、さらに、ホコリや雨などの吸込も防ぐことができる空気式太陽集熱換気システムの提供。【解決手段】太陽放射を受ける側の板材料と反対側の板材料を間に、厚さが約１５ｍｍ以下で、長さが数十ｃｍ〜数ｍで、断面積は内部流速≒５m/s以下とした極薄通気層１３を形成し、この通気層の一端に空気吸込口１４を、他端に空気吹出口１５を、それぞれ太陽放射を受ける側と反対側に向けて形成した板状体１０を、空気式集熱部材として太陽放射を受ける受熱面全体に複数を列設させて配置し、かつ、均等に空気を吸い込むように通気抵抗を調整し、前記空気吹出口１５はこの板状体列の太陽放射を受ける側と反対側に形成した集合送気層１８に開口させ、さらに、この集合送気層１８と平行に各板状体の前記空気吸込口１４が連通する送気用連続空間４０を形成した。【選択図】図１
2008215720.tif 000002
【特許請求の範囲】
【請求項１】
太陽放射を受ける側の板材料と反対側の板材料を間に、厚さが約１５ｍｍ以下で、長さが数十ｃｍ〜数ｍで、断面積は内部流速≒５m/s以下とした極薄通気層を形成し、この通気層の一端に空気吸込口を、他端に空気吹出口を、それぞれ太陽放射を受ける側と反対側に向けて形成した板状体を、空気式集熱部材として太陽放射を受ける受熱面全体に複数を列設させて配置し、かつ、均等に空気を吸い込むように通気抵抗を調整し、
前記空気吹出口はこの板状体列の太陽放射を受ける側と反対側に形成した集合送気層に開口させ、
さらに、この集合送気層と平行に各板状体の前記空気吸込口が連通する送気用連続空間を形成し、
送気用連続空間から空気を極薄通気層に吸い込み、極薄通気層を通過する間に受ける放射熱と対流あるいは伝導で熱交換し、集合送気層に空気を吹き出すことを特徴とする空気式太陽集熱換気システム。
【請求項２】
太陽放射を受ける側に、太陽放射を透過する材料を密閉空気層とともに設ける請求項１記載の空気式太陽集熱換気システム。
【発明の詳細な説明】
【技術分野】
【０００１】
本発明は、壁面・屋根面・庇・手摺りなどの建築部分に設置するものとして、主に換気・暖房が必要となる空間における空気式太陽集熱換気システムに関するものである。
【背景技術】
【０００２】
わが国の建物の熱性能は、省エネという観点からはとても貧しいものである。夏の暑さを電力に支えられるエアコンでしのぎ、冬は寒いといって、石油をふんだんに燃やして暖房をしてきた結果、住宅や建築がエネルギー危機や二酸化炭素による地球温暖化の現象に与えた影響はとても大きなものである。
【０００３】
建物の熱損失に関しては、図２７に示すように床面積１２０ｍ２程度の住宅において新省エネルギー基準では、３３９kcal／℃(ｌ０．３９ｋＷ／℃)の熱損失量に対して（１℃当り）屋根（８％）、外壁（２７％）、床（１４％）、窓（４４％）、ドア（２％）、換気（１５％）という割合での損失が想定される。これが、次世代基準では１８６kcal／℃（０．２ｋＷ／℃）の熱損失量となり、将来基準ではさらに熱損失量が低下することが予想されるが、その中で、換気における熱損失の低下はなかなか見込むことができない。
【０００４】
換気用空気に関して、通常の構造の建物においては、ドアの周囲とか壁や天井の継目などの隙間を通しての自然な漏れ込みによって、十分な換気空気を建物内に流入させるのが普通であるとされ、強風とか、換気扉とか、炉で燃料を燃焼させる空気のような多くの要因によって、建物の外から内への圧力降下が起きうる。それ故に、クラックや開口があればそれを通って外気が建物内に流入することになる。
【０００５】
しかし、近年、断熱材の使用により、高断熱、高気密の建物が出現すると、このような隙間が少ないので、積極的に換気を行う必要性が検討される。
【０００６】
ところで、改正された建築基準法では健康的な生活をするために必要な建物の換気（１時間に０．５回、［その建物の体積分（気積という）］の空気が２時間に１回外部の空気と入れ代わること）を行うことと定めている。前記換気を満足させるためには、機械的換気設備を設置して２４時間換気を行う。そのためには計画的な換気と空気の流れを作ることになる。
【０００７】
現在の換気システムについての住宅取得者の不満を見ると、図２８に示すように換気で冬に寒さを感じるという割合が非常に多い。このことは、換気空気の量がコントロールされず、また、秋、冬、および春の季節の間では、外気を室内温度まで加熱するための追加的熱量を必要とすることを示している。
【０００８】
この問題は典型的には、流入する空気を加熱するためのガスまたは空気のヒータを備えた加熱ファンを設置することで解決されるが、今、先進国がなすべきことは、生活のレベルを低下させることなく、生活の高度化を図りつつ、環境負荷を低減させる方法を生み出すことである。そこで、風およびその他気象条件だけではなく、外部環境条件に柔軟に対応する住居および建物を建設して室内暖房、冷房、換気、除湿、および給湯のための太陽エネルギー利用を最適化することが求められる。
【０００９】
建物の暖房のために太陽熱パネルが用いられる場合には、空気は建物内からこのパネルを経て再度建物内へと再循環させられる。太陽熱コレクタの効率は、それに入る空気の温度が周囲温度と同じであるときに最高となる。通常の冬期の条件下では、周囲温度は室内温度より低く、したがって冬期では、太陽熱コレクタを用いての再循環は大いに悪い効率レベルで行われることになる。
【００１０】
これに対して建物に入る空気を加熱するためのガスや電気のヒータのような消費的エネルギー源を用いることをせず、建物内からの空気を単に太陽熱コレクタを通して建物内に戻すのではなく、建物の南に面する壁に太陽熱コレクタを位置させ、このコレクタが、換気のための新鮮なメークアップ空気を先ずそのコレクタを通過させた後に建物内に流入させるようにする方法と装置が下記特許文献にある。
【特許文献１】特許第２６７５３８５号（換気用空気を予熱する方法および装置）
【００１１】
この特許文献１は、図２９、図３０に示すように波形をなしていてその波形が実質上垂直方向にあり、外面において実質上垂直方向に規定され、外部に直接開放された複数のグルーブ３が形成されている日光吸収性の波形のコレクタパネル２を建物の南に面する壁１に取り付けるものである。
【００１２】
波形のコレクタパネル２は、黒色ペイントのような熱吸収性材料で被覆され、パネルと壁１との間に実質上垂直方向と規定される複数のチャンネル４が形成されている。波形のコレクタパネル２の上端部には、断面が四角形となっている空気集合プレナム５が設けられている。
【００１３】
空気集合プレナム５の中のチャンバーと連結したファンハウジング６があって、このファンハウジング６には、ファン７があるほか、建物内部から来る空気と空気集合プレナム５から来る加熱された空気と混合させるために電動ダンパ８がある。ファンハウジング６と連結した織物製の複数の開口を有しているエアダクトがある。
【００１４】
前記グルーブ３に沿って外気を上向きに流動させ、グルーブ３の中の空気をコレクタパネル２からの太陽熱と南に面する壁１を通して建物内部から放散する熱の組合せによって加熱し、グルーブ３からの加熱された空気をパネルの上端付近の空気集合プレナム５において取り出し、その加熱された空気をエアダクトにより建物内部に送出する。
【発明の開示】
【発明が解決しようとする課題】
【００１５】
前記特許文献１の方法と装置では、複数のグルーブ３は外部に直接開放されたものであり、風等の影響を受けると加熱された空気が分散してしまい空気集合プレナム５への集熱が困難となる。
【００１６】
また、この特許文献１では、グルーブ３だけからの空気を集める使い方と、グルーブ３を流れる空気とチャンネル４を流れる空気の両方を集める使い方が可能であるとされるが、チャンネル４では集熱面が、片側の空気入り口・一方向の空気流れ・もう片側の空気出口、という構成が決まっている。太陽熱を受けている集熱面では、空気入り口から入った空気を、流れ方向に沿って、空気を徐々に加温していく。そのために、利用温度に応じた集熱面の長さが必要となる。
【００１７】
一方、集熱通気層の高さをより小さくすることで、集熱性能が向上することは想像できるところであるが、通気層の高さを小さくするほどに通気抵抗が曲線的に大きくなり、ファンの動力や騒音が大きくなるため、現実的には採用しにくい考え方であった。
【００１８】
本発明の目的は前記従来例の不都合を解消し、集熱／熱交換効率の向上を図ることができ、しかも、部材構成として小さい大きさ・自由な形状で、建築などに馴染みやすいデザイン性を応えられることができ、さらに、吸込空気を前面の空気に限定することがないのでホコリや雨などの吸込も防ぐことができ、また、循環システムなどに対応可能である空気式太陽集熱換気システムを提供することにある。
【課題を解決するための手段】
【００１９】
前記目的を達成するため請求項１記載の本発明は、太陽放射を受ける側の板材料と反対側の板材料を間に、厚さが約１５ｍｍ以下で、長さが数十ｃｍ〜数ｍで、断面積は内部流速≒５m/s以下とした極薄通気層を形成し、この通気層の一端に空気吸込口を、他端に空気吹出口を、それぞれ太陽放射を受ける側と反対側に向けて形成した板状体を、空気式集熱部材として太陽放射を受ける受熱面全体に複数を列設させて配置し、かつ、均等に空気を吸い込むように通気抵抗を調整し、前記空気吹出口はこの板状体列の太陽放射を受ける側と反対側に形成した集合送気層に開口させ、さらに、この集合送気層と平行に各板状体の前記空気吸込口が連通する送気用連続空間を形成し、送気用連続空間から空気を極薄通気層に吸い込み、極薄通気層を通過する間に受ける放射熱と対流あるいは伝導で熱交換し、集合送気層に空気を吹き出すことを要旨とするものである。
【００２０】
請求項１記載の本発明によれば、板状体を単位集熱部材とするものであり、この、板状体は極薄通気層で熱を吸い取るので、集熱／熱交換効率の向上を図ることができる。すなわち、薄い通気層とし、かつ、断面積は内部流速≒５m/s以下とすることにより、太陽放射を受ける板材料とこの通気層を流れる空気の接触効率を高め、熱交換性能が向上する。
【００２１】
さらに、温度差熱交換の場合は、流れ長さが短いほど、温度上昇率が大きいが、このような板状体による単位集熱部材は流れ長さが短いものを複数列設することで、より一層の熱交換性能の向上が得られる。極薄の通気層で得られる加熱空気を集合通気層に集合させて十分な暖かな空気を得ることができる。
【００２２】
また、裏面（太陽放射を受ける側と反対側の空間）から空気を薄い厚さの通気層に吸い込むことにより、吸込空気をダクト接続などで選択が可能となり循環システムが構成でき、さらに、集熱面の外表面にホコリや雨が詰まる心配が解消され、また、集合した吸い込み口部分にフィルタを着けるなどで浮遊粉塵や花粉対策を施すことができる。
【００２３】
請求項２記載の本発明は、太陽放射を受ける側に、太陽放射を透過する材料を密閉空気層とともに設けることを要旨とするものである。
【００２４】
請求項２記載の本発明によれば、太陽放射を受ける側に、太陽放射を透過する材料を空気層とともに設けることにより、風等の影響をより少なくし、この空気層での断熱も加えて高温の加熱空気を得ることができる。
【００２５】
特に、密閉空気層とすることでガラス下の空気層にホコリが溜まることが無くなり、そのホコリがガラス下のために掃除しにくいという不都合も防げる。また、空気層を密閉したので、ガラス下に外気を導入する場合のように、導入した外気によりガラス下の空気層および集熱板を冷却するために集熱性能の向上が阻害されることもない。
【発明の効果】
【００２６】
以上述べたように本発明の空気式太陽集熱換気システムは、極薄通気層をもつ集熱部材を、均等に空気を吸い込む空気抵抗に調整し、ある大きさ・形状の集熱面を構成することにより、集熱／熱交換性能の向上を図ることができ、また、集熱部材の部材構成として小さい大きさ・自由な形状で、建築などに馴染みやすいデザイン性を応えられることができるものである。さらに、吸込空気を前面の空気に限定することがないのでホコリや雨などの吸込も防ぐことができ、また、循環システムなどに対応可能である。
【００２７】
このようにして本発明は、化学物質汚染・結露・カビ・ダニなどを低減するために室内に十分な換気が可能であり、一方、寒い時期には、供給される外気の冷たさを緩和するのに太陽熱利用により地球温暖化防止・エネルギー不足問題などに答えることができる。
【発明を実施するための最良の形態】
【００２８】
以下、図面について本発明の実施形態を詳細に説明する。図１は本発明の空気式太陽集熱換気システムの第１実施形態を示す縦断面模式図で、図中１０は、図２、図３にも示すように、太陽放射を受ける側の板材料である受熱板１１と反対側の板材料である吸熱板１２を間に距離が１５ｍｍ以下（例えば８ｍｍ）の極薄通気層１３を介在させて平行に配置した扁平パネル形状の板状体である。この板状体１０は曲面形状とすることも可能である。また、図７に示すように受熱板１１を凹凸のある波板成形板によるものとして受熱面積を増加させてもよい。
【００２９】
極薄通気層１３は、薄い通気層とすることにより、受熱板と流れる空気の接触効率を高め、熱交換性能が向上するものであるが、およそ１５ｍｍ以下、例えば８ｍｍ以下が好適である。（ただし、処理風量が大きく違えば、通気層高さも変わる。）
【００３０】
板状体１０を構成する材料としては、熱伝導性が比較的よい材料であれば金属等特に限定は問わないが、受熱板１１は集熱表面材料として黒色金属板、選択吸収膜板などが好適である。なお、受熱板１１の集熱表面材料として、太陽電池を用いることも可能である。太陽電池が冷却できることは発電効率の低下防止になる。
【００３１】
板状体１０は、一端を空気吸込口１４、他端を空気吹出口１５とし、複数個を列設（連列）する。これら各板状体１０の空気吸込口１４、空気吹出口１５はともに太陽放射を受ける側と反対側すなわち、吸熱板１２側に設けるものとする。
【００３２】
板状体１０は、長さ９００ｍｍ程度とするが、数十ｍｍ〜数ｍ程度の範囲で製品バリエーションが可能である。
【００３３】
また、板状体１０は、図３、図７に示すように、全体は幅のある横長形状のものとし、太陽放射を受ける受熱面全体に、極薄通気層１３の流れ方向に短い長さ（数cm〜１ｍ程度）のものを複数並列させた配置とし、均等に空気を吸い込むように通気抵抗を調整する。
【００３４】
このように前記板状体１０を並べ、極薄通気層１３の通気抵抗でバランスを考慮して、面積あたり風量を同じ程度にすること、加えて、分割された集熱部材（板状体１０）を均等に吸い込むように調整することにより、小さい（短い）熱交換（集熱）面で、利用できる温度が得られるものとなる。
【００３５】
前記極薄通気層１３の断面積は、抵抗のバランスおよび後述の汎用ファン２４の圧力(静圧)を考慮して内部流速≒５m/s以下として設定する。
【００３６】
図１に示す本実施形態は、板状体１０は受熱面全体としての設置面または集熱ユニット裏板が建物の壁面１７である場合であり、太陽放射を受ける側と反対側（壁面１７との間）に、集合送気層１８を形成し、さらに、この集合送気層１８と平行に各板状体１０の前記空気吸込口１４が送気ダクト４１を介して連通する送気用連続空間４０を形成した。
【００３７】
なお、空気吸込口１４と空気吹出口１５の位置関係は、平行、円と中心点、多角形等多様なパターンがあり、図示のような空気吸込口１４を下端、空気吹出口１５を上端にする場合のほか、図４に示すように空気吸込口１４を上下端に形成し、空気吹出口１５を吸熱板１２の中央に形成する場合、図５に示すように空気吹出口１５を上下端に形成し、空気吸込口１４を吸熱板１２の中央に形成する場合、図６の（ａ）に示すように、空気吹出口１５を吸熱板１２に多数の小孔として形成する場合、（ｂ）に示すように、空気吸込口１４を吸熱板１２に多数の小孔として形成する場合等である。
【００３８】
また、他の実施形態として、図８に示すように、太陽放射を受ける側に、ガラスなどの透明板による太陽放射を透過する材料１９を空気層とともに設けるようにしてもよい。この場合該空気層は端部を閉塞した密閉空気層２０として形成し、外部との空気の交流がないものとするのが望ましい。この密閉空気層２０は空気断熱による断熱層ともなる。
【００３９】
さらに他の実施形態として、板状体１０は、極薄通気層１３の通気層厚さを固定するために、受熱板１１と反対側の板材料である吸熱板１２を間にアルミ等の伝熱性のよい材料を用いた熱伝導性スペーサ２１を設けるようにしてもよい。
【００４０】
図１０は本発明の空気式太陽集熱換気システムの設置例を示すものであるが、多数並列した板状体１０と集合送気層１８と送気用連続空間４０とで空気式太陽集熱部を形成し、この空気式太陽集熱部に対して、集合送気層１８と室内の対象空間２３と連通部に汎用ファン２４を設置する。
【００４１】
このようにして、太陽放射を受ける位置に板状体１０を複数設置し、この板状体１０で太陽放射を受ける側の外気を空気吸込口１４より吸い込み、薄い通気層である極薄通気層１３で太陽熱を集熱し、各板状体１０の空気吹出口１５から吹き出した集熱空気を集合送気層１８で集合して汎用ファン２４により対象空間２３に供給する。
【００４２】
本発明は、処理風量と極薄通気層１３の通気抵抗と汎用ファン２４のファン能力のバランスを取ることができる。
【００４３】
本発明は、薄い通気層とすることにより、受熱板と流れる空気の接触効率を高め、放射熱と対流あるいは伝導で熱交する熱交換性能を向上させるもので、本発明の効果を説明する概念図を図１２、図１３に示す。性能向上のポイントとしては、短い流れの長さで温度差熱交換をすることと、薄い通気層で熱交換することである。
【００４４】
図１１は本発明の空気式太陽集熱換気システムの応用例を示すもので、汎用ファン２４を逆流運転させ、空気の流れる順序が、対象空間２３の空気、集合送気層１８、太陽集熱部材である板状体１０、そして、送気用連続空間４０を介して排気され、外気側へと逆の流れパターンの運転モードをもつこととした。
【００４５】
このように、逆流モードをもつことで２４時間換気に対応できる。また、夏の日中は、送気用連続空間４０、集合送気層１８、太陽集熱部材である板状体１０を通過する空気でエアーカーテンを形成し、壁面に対する日射熱侵入防止になる。
【００４６】
さらに、他の応用例として、図１４〜図１７に示すように、集熱空気と接触して熱交換ができる位置に蓄放熱体２５を設置するようにしてもよい。図１４、図１５は蓄放熱体２５を板状体１０とは別個の独立したものとした場合、図１６、図１７は板状体１０と一体化した場合である。この蓄放熱体２５には、たとえば、コンクリート・水・れんが・潜熱蓄熱材などが適用できる。
【００４７】
図１４、図１６は日中の蓄熱＋温度調整運転を示すが、太陽放射を受けている日中は、集熱のピーク温度を蓄放熱体２５に蓄熱（吸熱）することにより対象空間２３に供給する空気温度が高くなりすぎることを押さえることができる。
【００４８】
そして、図１５、図１７は夜間の放熱＋加温調整運転を示すが、太陽が沈んだ夜間に、日中に蓄放熱体２５に蓄えた熱を放熱することにより、対象空間２３に吹き出す空気温度が冷たい外気温度に近づいていくことを押さえることができる。
【００４９】
図１８、図１９は、太陽電池２６により発電する電力を使いながら運転する場足を示したもので、太陽電池２６により給電し、制御盤２７等を介して自立運転できるユニットを構成すれば、商用電源が供給なくても、本ユニットのみ単独設置で、太陽集熱換気システムが実現できる。用途例としては、建築リフォームなどで後付けの場合や、別荘など無人建物、その他が想定できる。図１８は太陽電池２６をは板状体１０とは独立して設ける場合、図１９は板状体１０に一体化して設ける場合である。
【００５０】
さらなる応用例として、図２５に示すように、太陽光の代りに、輻射熱がでるストーブ２８をもって、その輻射熱を板状体１０の受熱板１１で受け、反対側の吸熱板１２で放射して、回収した輻射熱・対流熱を対象空間２３に送り、または、ストーブ２８の使用空間で循環するようにしてもよい。
【００５１】
本実施形態では、輻射熱を受ける側と反対側から吸い込むものであるから、ストーブの付近をマイナス圧にして、燃焼に支障を与える可能性がなく、また燃焼の臭気まで対象空間に送風する可能性がない。このように循環式熱回収（交換）システムを構成することにより、ストーブの燃焼に支障を与える、臭気を送風するなどの心配なくシステムを運転することができる。
【００５２】
図２６は板状体１０の外側にサンルーム２９を形成した場合である。サンルーム２９（温室）の内部で集熱加温した空気を対象空間２３に送る。
【００５３】
この場合、サンルーム２９の床下にも板状体１０を横向きした集熱の床面を形成して、冬は床下空間吹き出し用ファン３２を運転して集熱加温した空気をこの板状体１０の床構造に流し集熱・押し込み換気ができる。
【００５４】
冬など寒い時期にサンルームに冷たい外気を導入して、板状体１０で集熱加温した外気を対象空間２３に送り換気する場合に、サンルーム２９に導入した外気により集熱面近傍の空気温度および集熱表面温度を冷却するために、集熱性能の向上が小さくなってしまうことが懸念される。
【００５５】
本発明では、循環システムを構成することにより、サンルーム２９内（集熱面近傍）の空気温度および集熱表面の温度が高くなり、集熱性能のさらなる向上が図れる。また、サンルーム２９内に多量な植物など臭気が発生する場合は、その臭気を対象空間に送らないことができる。
【産業上の利用可能性】
【００５６】
以上の実施形態は、多数並列した板状体１０と集合送気層１８に組合せによる空気式太陽集熱部を建物の壁面１７に設置する場合について説明したが、このように建物の壁面１７に設置する場合も図２０に示すように、外気吸込口４４およびこれに連通する送気用連続空間４０を壁面１７の外表面に形成してなる場合と、図２１に示すように、外気吸込口４４およびこれに連通する送気用連続空間４０を建築的な外壁通気層を利用して形成する場合などがある。
【００５７】
図２２、図２３は多数並列した板状体１０と集合送気層１８に組合せによる空気式太陽集熱部を建物の屋根に設置した場合である。
【００５８】
図２２は空気式太陽集熱部を屋根４５の外表面に設置する場合で、外気吸込口４４およびこれに連通する送気用連続空間４０を屋根面の外表面に形成してなる場合、図２３は建築的な屋根通気層を利用して形成する場合である。
【００５９】
図２４は多数並列した板状体１０と集合送気層１８に組合せによる空気式太陽集熱部を建物の庇に設置した場合である。
【図面の簡単な説明】
【００６０】
【図１】本発明の空気式太陽熱換気システムの第１実施形態を示す縦断面模式図である。
【図２】本発明の空気式太陽熱換気システムで使用する板状体の縦断面模式図である。
【図３】本発明の空気式太陽熱換気システムで使用する板状体の斜視図である。
【図４】本発明の空気式太陽熱換気システムで使用する板状体の第１変形例を示す説明図である。
【図５】本発明の空気式太陽熱換気システムで使用する板状体の第２変形例を示す説明図である。
【図６】本発明の空気式太陽熱換気システムで使用する板状体の第３、第４変形例を示す説明図である。
【図７】本発明の空気式太陽熱換気システムで使用する板状体の第５変形例を示す斜視図である。
【図８】本発明の空気式太陽熱換気システムの第２実施形態を示す縦断面模式図である。
【図９】本発明の空気式太陽熱換気システムの第３実施形態を示す縦断面模式図である。
【図１０】本発明の空気式太陽熱換気システムの設置例を示す縦断面模式図である。
【図１１】本発明の空気式太陽集熱換気システムの応用例を示す縦断面模式図である。
【図１２】本発明と従来集熱の比較で、短い流れの長さでの温度差熱交換を示すグラフである。
【図１３】本発明と従来集熱の比較で、薄い通気層での温度差熱交換を示すグラフである。
【図１４】本発明の空気式太陽集熱換気システムで、蓄放熱体との組合せの第１例を示す日中時の説明図である。
【図１５】本発明の空気式太陽集熱換気システムで、蓄放熱体との組合せの第１例を示す夜間時の説明図である。
【図１６】本発明の空気式太陽集熱換気システムで、蓄放熱体との組合せの第２例を示す日中時の説明図である。
【図１７】本発明の空気式太陽集熱換気システムで、蓄放熱体との組合せの第２例を示す夜間時の説明図である。
【図１８】本発明の空気式太陽集熱換気システムで、太陽電池駆動との併用を示す第１例の説明図である。
【図１９】本発明の空気式太陽集熱換気システムで、太陽電池駆動との併用を示す第２例の説明図である。
【図２０】本発明の空気式太陽集熱換気システムで、外壁に設置の第１例を示す縦断面模式図である。
【図２１】本発明の空気式太陽集熱換気システムで、外壁に設置の第２例を示す縦断面模式図である。
【図２２】本発明の空気式太陽集熱換気システムで、屋根に設置の第１例を示す縦断面模式図である。
【図２３】本発明の空気式太陽集熱換気システムで、屋根に設置の第２例を示す縦断面模式図である。
【図２４】本発明の空気式太陽集熱換気システムで、庇に設置の例を示す縦断面模式図である。
【図２５】本発明の空気式太陽集熱換気システムで、輻射熱がでるストーブとの組合せを示す説明図である。
【図２６】本発明の空気式太陽熱利用加温換気システムで、サンルームとの組合せを示す説明図である。
【図２７】建物の熱損失に関するグラフである。
【図２８】換気システムについての住宅取得者の不満を示すグラフである。
【図２９】従来例を示す斜視図である。
【図３０】従来例を示す要部の平面図である。
【符号の説明】
【００６１】
１…壁                                ２…コレクタパネル
３…グルーブ                          ４…チャンネル
５…空気集合プレナム                  ６…ファンハウジング
７…ファン                            ８…電動ダンパ
９…エアダクト                        １０…板状体
１１…受熱板                          １２…吸熱板
１３…極薄通気層                      １４…空気吸込口
１５…空気吹出口                      １６…接続代
１７…壁面                            １８…集合送気層
１９…太陽放射を透過する材料          ２０…空気層
２１…スペーサ                        ２２…シール材
２３…対象空間                        ２４…送風機
２５…蓄放熱体                        ２６…太陽電池
２７…制御盤                          ２８…ストーブ
２９…サンルーム                      ３２…床下空間吹き出し用ファン
４０…送気用連続空間                  ４１…送気ダクト
４４…外気吸込口                      ４５…屋根
【図１】
2008215720.tif 000003
【図２】
2008215720.tif 000004
【図３】
2008215720.tif 000005
【図４】
2008215720.tif 000006
【図５】
2008215720.tif 000007
【図６】
2008215720.tif 000008
【図７】
2008215720.tif 000009
【図８】
2008215720.tif 000010
【図９】
2008215720.tif 000011
【図１０】
2008215720.tif 000012
【図１１】
2008215720.tif 000013
【図１２】
2008215720.tif 000014
【図１３】
2008215720.tif 000015
【図１４】
2008215720.tif 000016
【図１５】
2008215720.tif 000017
【図１６】
2008215720.tif 000018
【図１７】
2008215720.tif 000019
【図１８】
2008215720.tif 000020
【図１９】
2008215720.tif 000021
【図２０】
2008215720.tif 000022
【図２１】
2008215720.tif 000023
【図２２】
2008215720.tif 000024
【図２３】
2008215720.tif 000025
【図２４】
2008215720.tif 000026
【図２５】
2008215720.tif 000027
【図２６】
2008215720.tif 000028
【図２７】
2008215720.tif 000029
【図２８】
2008215720.tif 000030
【図２９】
2008215720.tif 000031
【図３０】
2008215720.tif 000032